(57)【要約】  【課題】  利用者が画面切替えを意識することなく、資格表示装置の衆人監視機能を有効に機能させることのできる資格表示装置を提供する。  【解決手段】  資格表示装置１は、利用者の身体に吊り下げて装着され、利用者の資格情報を周囲の他者が確認できるよう資格表示する機能を有する。吊り下げ状態検出部１２は、傾斜センサ８からの出力に基づいて、資格表示装置１が利用者の身体に吊り下げられて装着された吊り下げ状態である否かを検出する。表示制御部１３は、表示部３に利用者の資格情報を表示する資格表示制御と、表示部３に操作入力を行うための操作画面情報を表示する操作表示制御とを行う。この表示制御部１３は、吊り下げ状態検出部１２にて吊り下げ状態であると検出されているときには資格表示制御を行い、吊り下げ状態検出部１２にて吊り下げ状態でないと検出されたときには資格表示制御を中断して操作表示制御を行うのを許容する。【選択図】  図２
2015191615.tif 000002
【特許請求の範囲】
【請求項１】
利用者の身体に吊り下げて装着され、当該利用者の資格情報を周囲の他者が確認できるよう資格表示する機能を有する資格表示装置であって、
情報表示が可能な表示部と、
操作入力が可能な操作部と、
前記資格表示装置の本体の傾きを検出する傾き検出部と、
前記傾き検出部からの出力に基づいて、前記資格表示装置が前記利用者の身体に吊り下げられて装着された吊り下げ状態である否かを検出する吊り下げ状態検出部と、
前記表示部に前記利用者の資格情報を表示する資格表示制御と、前記表示部に前記操作部で操作入力を行うための操作画面情報を表示する操作表示制御とを行う表示制御部と、
を備え、
前記表示制御部は、前記吊り下げ状態検出部にて前記吊り下げ状態であると検出されているときには前記資格表示制御を行い、前記吊り下げ状態検出部にて前記吊り下げ状態でないと検出されたときには前記資格表示制御を中断して前記操作表示制御を行うのを許容することを特徴とする資格表示装置。
【請求項２】
前記資格表示装置の本体の一方の端部に、前記資格表示装置を前記利用者の身体に吊り下げるための吊り下げ具が取り付けられる吊り下げ部を備え、
前記吊り下げ状態検出部は、前記吊り下げ部が設けられた前記一方の端部が、前記本体を挟んで前記一方の端部と反対側の他方の端部より上側に位置しており、かつ、前記一方の端部と前記他方の端部が重力方向に沿って略並んで位置しているときに、前記吊り下げ状態であると判定する、請求項１に記載の資格表示装置。
【請求項３】
前記吊り下げ状態検出部は、前記他方の端部が前記一方の端部より下側に位置していないときに、前記利用者が操作入力を行う操作状態であると検出し、
前記表示制御部は、前記吊り下げ状態検出部にて前記操作状態であると検出されているときには、前記操作表示制御を行う、請求項２に記載の資格表示装置。
【請求項４】
前記表示部に近接する物体を検知する近接検知部と、
前記近接検知部からの出力に基づいて、前記表示部が前記物体によって隠蔽された隠蔽状態であるか否かを判定する隠蔽判定部と、
前記吊り下げ状態検出部にて前記吊り下げ状態であると検出されているときに、前記隠蔽判定部にて前記隠蔽状態であると判定された場合に、警告出力を行う警告出力部と、
を備える、請求項１〜請求項３のいずれかに記載の資格表示装置。
【請求項５】
利用者の身体に吊り下げて装着され、当該利用者の資格情報を周囲の他者が確認できるよう資格表示する機能を有する資格表示装置で実行されるプログラムであって、
前記資格表示装置は、情報表示が可能な表示部と、操作入力が可能な操作部と、前記資格表示装置の本体の傾きを検出する傾き検出部と、を備え、
前記プログラムは、コンピュータに、
前記傾き検出部からの出力に基づいて、前記資格表示装置が前記利用者の身体に吊り下げられて装着された吊り下げ状態である否かを検出する吊り下げ状態検出処理と、
前記表示部に前記利用者の資格情報を表示する資格表示制御と、前記表示部に前記操作部で操作入力を行うための操作画面情報を表示する操作表示制御とを行う表示制御処理と、
を実行させるものであり、
前記表示制御処理では、前記吊り下げ状態検出処理にて前記吊り下げ状態であると検出されているときには前記資格表示制御を行い、前記吊り下げ状態検出処理にて前記吊り下げ状態でないと検出されたときには前記資格表示制御を中断して前記操作表示制御を行うのを許容することを特徴とするプログラム。
【発明の詳細な説明】
【技術分野】
【０００１】
本発明は、利用者の身体に吊り下げて装着され、当該利用者の資格情報を衆人に表示して監視を促す機能（衆人監視機能）を備えた資格表示装置に関する。
【背景技術】
【０００２】
従来、限られた人のみが立ち入ることができる施設や部屋などでは、入室の際にその利用者（入室資格を有する利用者）の身分を証明することが必要とされることがある。従来から、利用者の身分を証明する方法として、顔写真入のＩＤカードを利用者の胸部付近に装着する方法が広く用いられている。
【０００３】
近年では、利用者がそれぞれ携行するＩＤカードに、利用者が所在する室における利用者資格の有無を動的に表示できる機能が備えられており、部屋毎に表示が変わるＩＤカードの表示を利用者がお互いに見ることにより、他の利用者の入室資格の有無を確認しあえるようにした機能（衆人監視機能）付きの資格表示装置が提案されている（例えば特許文献１参照）。
【先行技術文献】
【特許文献】
【０００４】
【特許文献１】特開２０１１−２１０２１９号公報
【発明の概要】
【発明が解決しようとする課題】
【０００５】
ところで、近年では、表示画面から画面入力が可能なタッチパネルが、様々な電子デバイスで利用されつつある。そこで、従来の資格表示装置にタッチパネルを適用することも考えられる。タッチパネルを適用することができれば、利用者による操作入力が可能な資格表示装置とすることができ、衆人監視機能だけでなく、多様な機能を備えることが可能となる。
【０００６】
しかしながら、単にタッチパネルを適用しただけでは、利用者が操作入力を行った後、その操作画面を表示したまま、資格表示画面に戻す操作を行うことなく、利用者が資格表示装置を装着してしまった場合に、周囲の人は、当該利用者の資格情報を確認することができず、衆人監視機能が有効に機能しえない。
【０００７】
本発明は、上記の課題に鑑みてなされたもので、利用者が画面切替えを意識することなく、資格表示装置の衆人監視機能を有効に機能させることのできる資格表示装置を提供することを目的とする。
【課題を解決するための手段】
【０００８】
本発明の資格表示装置は、利用者の身体に吊り下げて装着され、当該利用者の資格情報を周囲の他者が確認できるよう資格表示する機能を有する資格表示装置であって、情報表示が可能な表示部と、操作入力が可能な操作部と、資格表示装置の本体の傾きを検出する傾き検出部と、傾き検出部からの出力に基づいて、資格表示装置が利用者の身体に吊り下げられて装着された吊り下げ状態である否かを検出する吊り下げ状態検出部と、表示部に利用者の資格情報を表示する資格表示制御と、表示部に操作部で操作入力を行うための操作画面情報を表示する操作表示制御とを行う表示制御部と、を備え、表示制御部は、吊り下げ状態検出部にて吊り下げ状態であると検出されているときには資格表示制御を行い、吊り下げ状態検出部にて吊り下げ状態でないと検出されたときには資格表示制御を中断して操作表示制御を行うのを許容する。
【０００９】
かかる構成により、利用者が資格表示装置を吊り下げて装着すると吊り下げ状態であると検出され、その利用者の資格情報を表示する資格表示制御が行われる。そして、利用者が資格表示装置を持上げたりすると吊り下げ状態でないと検出され、資格表示制御を中断して操作表示制御を行うことが許容される。例えば、利用者が表示部に触れる（タップする）ことにより、表示部に操作入力用の表示画面である操作画面情報を表示することを可能にする。当該操作画面情報を参照して操作入力を完了した利用者が資格表示装置を吊り下げて装着すると、再び、吊り下げ状態であると検出され、その利用者の資格情報を表示する資格表示制御が行われる。このように、直前の画面表示が操作入力用の表示画面（操作画面情報）であったとしても、利用者が資格表示装置を吊り下げて装着することによって自動的に資格情報の表示画面に切り替わるため、利用者が画面切替えを意識することなく、資格表示装置の衆人監視機能を有効に機能させることができる。
【００１０】
また、本発明の資格表示装置は、資格表示装置の本体の一方の端部に、資格表示装置を利用者の身体に吊り下げるための吊り下げ具が取り付けられる吊り下げ部を備え、吊り下げ状態検出部は、吊り下げ部が設けられた一方の端部が、本体を挟んで一方の端部と反対側の他方の端部より上側に位置しており、かつ、一方の端部と他方の端部が重力方向に沿って略並んで位置しているときに、吊り下げ状態であると判定してもよい。
【００１１】
かかる構成により、資格表示装置の本体の一方の端部（吊り下げ部が設けられた端部）が、他方の端部（本体を挟んで一方の端部と反対側の端部）より上側に位置していること、および、一方の端部と他方の端部が重力方向に沿って略並んで位置していることに基づいて、利用者が資格表示装置を吊り下げて装着している（吊り下げ状態である）ことを適切に検出することができる。
【００１２】
また、本発明の資格表示装置では、吊り下げ状態検出部は、他方の端部が一方の端部より下側に位置していないときに、利用者が操作入力を行う操作状態であると検出し、表示制御部は、吊り下げ状態検出部にて操作状態であると検出されているときには、操作表示制御を行ってもよい。
【００１３】
かかる構成により、資格表示装置の本体の他方の端部が一方の端部（吊り下げ部が設けられた端部）より下側に位置していないことに基づいて、利用者が操作入力を行う操作状態であることを適切に検出することができる。したがって、例えば、利用者が資格表示装置を操作しようとして本体を把持して他方の端部が上側に位置するように持ち上げる（傾ける）だけで、直前の画面表示が資格情報の表示画面であったとしても、自動的に操作入力用の表示画面に切り替わるため、利用者は操作入力用の画面表示への画面切替え操作を省略することができる。
【００１４】
また、本発明の資格表示装置は、表示部に近接する物体を検知する近接検知部と、近接検知部からの出力に基づいて、表示部が物体によって隠蔽された隠蔽状態であるか否かを判定する隠蔽判定部と、吊り下げ状態検出部にて吊り下げ状態であると検出されているときに、隠蔽判定部にて隠蔽状態であると判定された場合に、警告出力を行う警告出力部と、を備えてもよい。
【００１５】
かかる構成により、吊り下げ状態検出部で吊り下げ状態であると検出され、かつ、隠蔽判定部で隠蔽状態であると判定された場合には、警告出力部から警告出力（例えば、音声や振動、表示画面点滅など）が行われる。したがって、例えば、利用者が資格表示装置を装着しているときに、資格表示装置が裏返っていて表示画面が利用者の体側の方向を向いていたり、資格表示装置の表示画面が利用者の衣服や手などにより隠蔽されていた場合には、警告出力によって本人及び周囲の人に不正装着状態であると注意喚起でき、資格表示装置の衆人監視機能を適切に機能させることができる。例えば、ある部屋への入室資格を有さない利用者がその部屋に入室し、資格表示装置に表示された「入室資格が無い旨の資格表示」を隠すよう意図的に自らの手で隠蔽したとしても、警告出力部からの警告出力により、周囲の人が検知することが可能となる。
【００１６】
本発明のプログラムは、利用者の身体に吊り下げて装着され、当該利用者の資格情報を周囲の他者が確認できるよう資格表示する機能を有する資格表示装置で実行されるプログラムであって、資格表示装置は、情報表示が可能な表示部と、操作入力が可能な操作部と、資格表示装置の本体の傾きを検出する傾き検出部と、を備え、プログラムは、コンピュータに、傾き検出部からの出力に基づいて、資格表示装置が利用者の身体に吊り下げられて装着された吊り下げ状態である否かを検出する吊り下げ状態検出処理と、表示部に利用者の資格情報を表示する資格表示制御と、表示部に操作部で操作入力を行うための操作画面情報を表示する操作表示制御とを行う表示制御処理と、を実行させるものであり、表示制御処理では、吊り下げ状態検出処理にて吊り下げ状態であると検出されているときには資格表示制御を行い、吊り下げ状態検出処理にて吊り下げ状態でないと検出されたときには資格表示制御を中断して操作表示制御を行うのを許容する。
【００１７】
このプログラムによっても、上記の装置と同様に、直前の画面表示が操作入力用の表示画面（操作画面情報）であったとしても、利用者が資格表示装置を吊り下げて装着することによって自動的に資格情報の表示画面に切り替わるため、利用者が画面切替えを意識することなく、資格表示装置の衆人監視機能を有効に機能させることができる。
【発明の効果】
【００１８】
本発明によれば、利用者が画面切替えを意識することなく、資格表示装置の衆人監視機能を有効に機能させることができる。
【図面の簡単な説明】
【００１９】
【図１】本発明の実施の形態における資格表示装置の概観図である。
【図２】本発明の実施の形態における資格表示装置の構成を示すブロック図である。
【図３】（ａ）本発明の実施の形態における資格表示画面の例を示す説明図である。  （ｂ）本発明の実施の形態における操作画面の例を示す説明図である。
【図４】（ａ）本発明の実施の形態における吊り下げ状態の説明図である。  （ｂ）本発明の実施の形態における操作状態の説明図である。
【図５】本発明の実施の形態における資格表示装置の動作の流れを説明するためのフロー図である。
【発明を実施するための形態】
【００２０】
以下、本発明の実施の形態の資格表示装置について、図面を用いて説明する。本実施の形態では、利用者の施設への入退館の管理や施設内の部屋への入退室の管理などを行うシステムに用いられる資格表示装置の場合を例示する。この資格表示装置は、利用者の資格情報を衆人（周囲の他者）に表示して相互に資格の内容を確認できる機能（衆人監視機能）有している。これらの機能は、装置のメモリ等に格納されたプログラムによって実現することができる。
【００２１】
本発明の実施の形態の資格表示装置の構成を、図面を参照して説明する。図１は、本実施の形態の資格表示装置の概観図である。図１に示すように、資格表示装置１の本体２の中央部には、表示部３が設けられている。表示部３は、液晶ディスプレイなどで構成されている。表示部３は、静電センサや圧力センサなどのセンサ（図示せず）を備えており、表示画面から操作入力が可能とされている。すなわち、表示部３は、情報表示と操作入力が可能なタッチパネルとして構成されている。
【００２２】
表示部３の近傍（表示部３と同じ面）には、近接センサ４が設けられている。近接センサ４は、表示部３に近接する物体（利用者の手など）を検知する機能を備えている。近接センサ４は、明るさの変化を検知することにより、物体の近接を検知するように構成することができる。例えば、明るさが所定の閾値より低くなったときには、表示部３に物体が近接したと検知する。また、近接センサ４は、表示部３の近傍（表示部３と同じ面）に設けられたカメラ（図示せず）の画像に基づいて、物体の近接を検知するように構成してもよい。また、近接センサ４は、赤外線を発する発光素子と当該赤外線を受け取って電気信号に変換する受光素子とにより構成され、発光素子から放射され物体により反射された赤外線による電気信号に基づいて距離を測定し、当該距離が所定値以下であるか否かに基づいて、物体の接近を検知するように構成してもよい。また、赤外線ではなく超音波を放射してその反射波に基づいて物体の接近を検知するように構成してもよい。
【００２３】
また、図１に示すように、資格表示装置１の本体２の上側（図１における上側）の端部には、吊り下げ部５が設けられている。吊り下げ部５には、ストラップなどの吊り下げ具６が取り付けられる。利用者は、ストラップ６を首にかけることによって、資格表示装置１を首から吊り下げて装着する。なお、ストラップ６の代わりにクリップや安全ピンなどを利用してもよい。クリップや安全ピンなどを利用者の衣服に装着し、そのクリップや安全ピンなどから資格表示装置１を吊り下げてもよい。
【００２４】
資格表示装置１は、専用のデバイスで構成することができる。また、汎用のデバイス（例えば、スマートフォンなど）に、専用のアプリケーションプログラムをインストールすることによって、資格表示装置１を構成することも可能である。
【００２５】
ここで、図２のブロック図を参照して、資格表示装置１の各構成について詳しく説明する。図２に示すように、資格表示装置１は、表示部３や近接センサ４のほかに、出力部７、傾斜センサ８、制御部９、記憶部１０、電池１１を備えている。制御部９は、吊り下げ状態検出部１２、表示制御部１３、隠蔽判定部１４を備えている。例えば、制御部９は、ＣＰＵなどで構成されており、記憶部１０は、メモリなどで構成されている。
【００２６】
出力部７は、吊り下げ状態検出部１２にて吊り下げ状態であると検出されているときに、隠蔽判定部１４にて隠蔽状態であると判定された場合に、警告出力を行う機能を備えている。警告出力としては、音、光、振動などを用いることができる。
【００２７】
傾斜センサ８は、資格表示装置１の本体２の傾きを検出して出力する機能を備えている。例えば、傾斜センサ８は、加速度計などを用いて構成することができ、当該加速度計からの出力値を電気信号に変換して資格表示装置１の本体２の傾きを表す数値情報として検出して出力する。また、傾斜センサ８は、資格表示装置１の本体２の傾きから表示面、すなわち表示部３の表示方向（図４参照）を検出して出力する機能を有しているともいえる。
【００２８】
記憶部１０には、利用者の資格情報１０Ａと、操作入力のための操作画面情報１０Ｂが記憶されている。図３（ａ）は、表示部３に利用者の資格情報１０Ａが表示された例（資格表示画面の例）を示す図である。図３（ａ）に示すように、利用者の資格情報１０Ａには、利用者の写真Ｐや名前Ｎのほかに、その利用者の入室資格の有無を表すフレーズＦなどの情報が含まれる。また、図３（ｂ）は、表示部３に操作画面情報１０Ｂが表示された例（操作画面の例）を示す図である。図３（ｂ）に示すように、操作画面情報１０Ｂには、操作入力に用いられる各種の操作ボタンＢの画像情報（例えば操作ボタンBのアイコン画像）や当該操作ボタンBの説明情報（操作ボタンによる動作内容の説明や操作方法を説明する情報）などの情報が含まれる。
【００２９】
吊り下げ状態検出部１２は、傾斜センサ８からの出力に基づいて、資格表示装置１が利用者の身体に吊り下げられて装着された状態（吊り下げ状態）である否かを検出する機能を備えている。図４（ａ）は、吊り下げ状態を示す図である。吊り下げ状態検出部１２は、資格表示装置１の上側の端部（図１の上側の端部。吊り下げ部５が設けられている端部）が、下側の端部（図１の下側の端部）より上側に位置（すなわち地面からの高さが高い方の位置）しており、かつ、上側の端部と下側の端部が重力方向に沿って略並んで位置しているときに、吊り下げ状態であると検出する。なお、図４（ａ）に示すように、吊り下げ状態は、吊り下げ部５が上側に位置する向きであり、表示部３の表示方向（表示面の法線方向）が重力方向に対して略垂直となる向きであるともいえる。
【００３０】
また、吊り下げ状態検出部１２は、傾斜センサ８からの出力に基づいて、利用者が操作入力を行う状態（操作状態）であるか否かを検出する機能を備えている。図４（ｂ）は、操作状態の一例を示す図である。吊り下げ状態検出部１２は、資格表示装置１の他方の端部（図１の下側の端部）が一方の端部（図１の上側の端部）より下側に位置していないとき、例えば、他方の端部と一方の端部が略同じ高さに位置しているとき、あるいは、他方の端部が一方の端部より上側に位置しているときに、操作状態であると検出する。なお、図４（ｂ）に示すように、操作状態は、表示部３の表示方向が重力方向に対して略反対となる向きから利用者側を向く向きであるともいえる。
【００３１】
表示制御部１３は、表示部３に利用者の資格情報１０Ａを表示する制御（資格表示制御）と、表示部３で操作入力を行うための操作画面情報１０Ｂを表示する制御（操作表示制御）とを行う機能を有している。表示制御部１３は、吊り下げ状態検出部１２にて吊り下げ状態であると検出されているときには資格表示制御を行う。資格表示制御が行われているときには、表示部３からの操作入力が禁止される。
【００３２】
一方、この表示制御部１３は、吊り下げ状態検出部１２にて吊り下げ状態でないと検出されたときには資格表示制御を中断して操作表示制御を行うのを許容する。つまり、吊り下げ状態検出部１２にて吊り下げ状態でないと検出されただけでは、必ずしも、資格表示制御を中断して操作表示制御を行わなくてもよい。表示制御部１３は、吊り下げ状態検出部１２にて操作状態であると検出されているときには、操作表示制御を行う。
【００３３】
隠蔽判定部１４は、近接センサ４からの出力に基づいて、表示部３が物体によって隠蔽された状態（隠蔽状態）であるか否かを判定する機能を有している。隠蔽状態とは、例えば、資格表示装置１の表示部３が利用者の衣服や手などにより隠蔽された状態であり、資格表示装置１の衆人監視機能が十分に機能しない状態であるともいえる。
【００３４】
以上のように構成された資格表示装置１について、図５のフロー図を参照してその動作を説明する。
【００３５】
図５に示すように、本実施の形態の資格表示装置１では、まず、傾斜センサ８からの出力に基づいて、資格表示装置１が利用者の身体に吊り下げられて装着された状態（吊り下げ状態）であるか否かが判定される（Ｓ１）。吊り下げ状態であると判定されると（Ｓ２）、表示部３に資格情報１０Ａの表示が行われ（Ｓ３）、表示部３からの操作入力が禁止される（Ｓ４）。このとき、近接センサ４からの出力に基づいて、表示部３が物体によって隠蔽された状態（隠蔽状態）であるか否かが判定される（Ｓ５）。隠蔽状態であると判定された場合には、音、光、振動などを用いた警告出力が行われる（Ｓ６）。
【００３６】
一方、吊り下げ状態でないと判定された場合には（Ｓ２）、まず、表示部３からの操作入力が有効とされる（Ｓ７）。そして、傾斜センサ８からの出力に基づいて、利用者が操作入力を行う状態（操作状態）であるか否かが判定される（Ｓ８）。操作状態であると判定されると、表示部３に操作画面情報１０Ｂが表示される（Ｓ９）。操作状態でないと判定された場合であっても、利用者が表示部３に触れる（タップする）と、表示部３に操作画面情報１０Ｂが表示される（Ｓ１０）。
【００３７】
本実施の形態の資格表示装置１によれば、図４（ａ）のように、利用者が資格表示装置１を吊り下げて装着すると吊り下げ状態であると検出され、その利用者の資格情報１０Ａを表示する資格表示制御が行われる（図３（ａ）参照）。そして、図４（ｂ）のように、利用者が資格表示装置１を持上げたりすると吊り下げ状態でないと検出され、資格表示制御を中断して操作表示制御を行うことが許容される（図３（ｂ）参照）。例えば、利用者が表示部３に触れる（タップする）ことにより、表示部３から操作画面情報１０Ｂが表示出力される。操作入力を完了した利用者が資格表示装置１を吊り下げて装着すると、再び、吊り下げ状態であると検出され、その利用者の資格情報１０Ａを表示する資格表示制御が行われる。このように、直前の画面表示が操作入力用の表示画面であったとしても、利用者が資格表示装置１を吊り下げて装着することによって自動的に資格情報１０Ａの表示画面に切り替わるため、利用者が画面切替えを意識することなく、資格表示装置１の衆人監視機能を有効に機能させることができる。
【００３８】
この場合、図４（ａ）のように、資格表示装置１の本体２の一方の端部（吊り下げ部５が設けられた端部）が、他方の端部（本体２を挟んで一方の端部と反対側の端部）より上側に位置していること、および、一方の端部と他方の端部が重力方向に沿って略並んで位置していることに基づいて、利用者が資格表示装置１を吊り下げて装着している（吊り下げ状態である）ことを適切に検出することができる。
【００３９】
また、図４（ｂ）のように、資格表示装置１の本体２の他方の端部が一方の端部より下側に位置していないことに基づいて、利用者が操作入力を行う操作状態であることを適切に検出することができる。したがって、例えば、利用者が資格表示装置１を操作しようとして本体２を把持して他方の端部が上側に位置するように持ち上げる（傾ける）だけで、直前の画面表示が資格情報１０Ａの表示画面であったとしても、自動的に操作入力用の表示画面に切り替わるため、利用者は操作入力用の画面表示への画面切替え操作を省略することができる。
【００４０】
また、本実施の形態では、吊り下げ状態検出部１２で吊り下げ状態であると検出され、かつ、隠蔽判定部１４で隠蔽状態であると判定された場合には、出力部７から警告出力（例えば、音声や振動、表示画面点滅など）が行われる。したがって、例えば、利用者が資格表示装置１を装着しているときに、資格表示装置１が裏返っていて表示画面が利用者の体側の方向を向いていたり、資格表示装置１の表示画面が利用者の衣服や手などにより隠蔽されていた場合には、警告出力によって本人及び周囲の人に不正装着状態であると注意喚起でき、資格表示装置１の衆人監視機能を適切に機能させることができる。例えば、ある部屋への入室資格を有さない利用者がその部屋に入室し、資格表示装置に表示された「入室資格が無い旨の資格表示」を隠すよう意図的に自らの手で隠蔽したとしても、警告出力部からの警告出力により、周囲の人が検知することが可能となる。
【００４１】
さらに、本実施の形態では、資格表示制御において、表示部３に資格情報１０Ａが表示されているときには、表示部３からの操作入力が禁止される。したがって、利用者が資格表示装置１を装着しているときに、誤って表示部３に触れてしまった場合であっても、当該接触による誤った操作入力を防止することができる。
【００４２】
以上、本発明の実施の形態を例示により説明したが、本発明の範囲はこれらに限定されるものではなく、請求項に記載された範囲内において目的に応じて変更・変形することが可能である。
【００４３】
例えば、以上の説明では、表示部をタッチパネルで構成した例について説明した。すなわち、本発明の表示部と操作部とが一体になったデバイスであるタッチパネル（表示部３）を用いた。しかし、これに限らず、表示部（例えば、液晶ディスプレイ）とは別に操作部（例えば、操作ボタン）を設けてもよい。
【産業上の利用可能性】
【００４４】
以上のように、本発明にかかる資格表示装置は、利用者が画面切替えを意識することなく、資格表示装置の衆人監視機能を有効に機能させることができるという効果を有し、利用者の施設への入退館の管理や施設内の部屋への入退室の管理などを行うシステムに適用され、有用である。
【符号の説明】
【００４５】
１  資格表示装置
２  本体
３  表示部
４  近接センサ（近接検知部）
５  吊り下げ部
６  ストラップ（吊り下げ具）
７  出力部（警告出力部）
８  傾斜センサ（傾き検出部）
９  制御部
１０  記憶部
１０Ａ  資格情報
１０Ｂ  操作画面情報
１１  電池
１２  吊り下げ状態検出部
１３  表示制御部
１４  隠蔽判定部
【図１】
2015191615.tif 000003
【図２】
2015191615.tif 000004
【図３】
2015191615.tif 000005
【図４】
2015191615.tif 000006
【図５】
2015191615.tif 000007